(57)【要約】【課題】可変表示装置の表示態様により所定の入賞の発生が許容されている可能性を分かりやすく報知することで興趣を高めることができるスロットマシンを提供すること。【解決手段】リール２Ｌ、２Ｃ、２Ｒを備えるスロットマシン１において、回転開始時にリール２Ｌ、２Ｃ、２Ｒを微動させることで、いずれかの入賞の発生が許容された可能性を報知する。【選択図】    図６
2004321433.tif 000002
【特許請求の範囲】
【請求項１】
複数種類の図柄が配列された表示帯を回転させることにより表示状態を変化させるとともに、該表示帯の回転を停止させることにより表示結果を導出表示させる可変表示装置を備え、
１ゲームに対して賭数を設定することによりゲームが開始可能となるとともに、前記可変表示装置の表示結果が導出表示されることにより１ゲームが終了し、該可変表示装置の表示結果に応じて入賞が発生可能とされたスロットマシンであって、
前記可変表示装置の表示結果が導出表示される以前に前記入賞の発生を許容するか否かを決定する事前決定手段と、
前記事前決定手段の決定結果に基づいて前記表示帯の回転開始時に該表示帯を微動させることで、所定の入賞の発生が許容されている可能性を報知する入賞報知手段と、
を備えることを特徴とするスロットマシン。
【請求項２】
前記表示帯を回転駆動するステッピングモータと、
該ステッピングモータを制御するモータ制御手段と、
を備え、
前記モータ制御手段は、回転中の前記表示帯を停止させる条件が成立したときに、前記ステッピングモータの複数の励磁相のうち、隣り合う第１励磁相及び第２励磁相を併せて励磁する２相励磁停止制御を実行した後、前記ステッピングモータのロータの目標停止角度位置に対応する停止励磁相及び当該停止励磁相を挟んで相反する位置にある２つのブレーキ励磁相を併せて励磁する３相励磁停止制御を実行して、前記ロータを停止させるとともに、
前記入賞報知手段は、前記ステッピングモータの回転開始時に、前記表示帯を微動させないときの励磁パターンとは異なる励磁パターンにて該ステッピングモータの回転制御を行うことで前記表示帯を微動させる請求項１に記載のスロットマシン。
【請求項３】
前記入賞報知手段は、前記表示帯の回転開始時に回転方向に対して手前側の方向に該表示帯を微動させることで、所定の入賞の発生が許容されている可能性を報知する請求項１または２に記載のスロットマシン。
【請求項４】
前記可変表示装置は、独立して回転する複数の表示帯を備え、
前記入賞報知手段は、前記事前決定手段により所定の入賞の発生が許容されているときの方が、当該所定の入賞の発生が許容されていないときに比較して多くの前記表示帯を微動させる割合が高い請求項１〜３のいずれかに記載のスロットマシン。
【請求項５】
前記入賞報知手段は、前記事前決定手段により所定の入賞の発生が許容されているときの方が、当該所定の入賞の発生が許容されていないときに比較して大きな変動量にて前記表示帯を微動させる割合が高い請求項１〜４のいずれかに記載のスロットマシン。
【発明の詳細な説明】
【０００１】
【発明の属する技術分野】
本発明は、リール等の表示帯を回転させることで表示状態を変化させることが可能な可変表示装置の表示結果に応じて所定の入賞が発生可能なスロットマシンに関し、特には可変表示装置の表示結果が導出される前に入賞の発生を許容するか否かが決定されるスロットマシンに関する。
【０００２】
【従来の技術】
この種のスロットマシンでは、複数のリールの回転が停止したときに各リールに表示されている図柄の組合せが、予め定められた入賞態様となった場合に入賞が発生する。これら入賞が発生するか否かは、リールが停止する以前に行われる内部抽選により決定される。
【０００３】
また、これら入賞の発生を許容するか否かを事前に決定するスロットマシンにおいては、各リールの表示態様としてＢＢ入賞やＲＢ入賞等の特定の入賞の発生が許容されている旨、またはその可能性を示す表示結果、いわゆるリーチ目（特定の入賞の発生が許容された状態でのみ停止する表示結果）やチャンス目（特定の入賞の発生が許容された状態でも、そうでない状態でも停止する可能性がある表示結果）を停止させることで特定の入賞の発生に対する遊技者の期待感を高めることが可能なものが提案されている（例えば特許文献１参照）。
【０００４】
【特許文献１】
特開２００２−３５５３６５号公報（第１、６、１０頁）
【０００５】
【発明が解決しようとする課題】
しかしながら、前述のようなリーチ目やチャンス目は、予めリーチ目やチャンス目の表示態様を知っている遊技者でなければ、認識することが困難であるため、これらリーチ目やチャンス目を出現させることにより特定入賞の発生が許容されている旨、またはその可能性を示しても、興趣を十分に高めることができなかった。
【０００６】
本発明は、このような問題点に着目してなされたものであり、可変表示装置の表示態様にり所定の入賞の発生が許容されている可能性を分かりやすく報知することで興趣を高めることができるスロットマシンを提供することを目的とする。
【０００７】
【課題を解決するための手段】
上記課題を解決するために、本発明のスロットマシンは、複数種類の図柄が配列された表示帯を回転させることにより表示状態を変化させるとともに、該表示帯の回転を停止させることにより表示結果を導出表示させる可変表示装置を備え、
１ゲームに対して賭数を設定することによりゲームが開始可能となるとともに、前記可変表示装置の表示結果が導出表示されることにより１ゲームが終了し、該可変表示装置の表示結果に応じて入賞が発生可能とされたスロットマシンであって、
前記可変表示装置の表示結果が導出表示される以前に前記入賞の発生を許容するか否かを決定する事前決定手段と、
前記事前決定手段の決定結果に基づいて前記表示帯の回転開始時に該表示帯を微動させることで、所定の入賞の発生が許容されている可能性を報知する入賞報知手段と、
を備えることを特徴としている。
この特徴によれば、表示帯の回転開始時にその表示帯を微動させることで、所定の入賞の発生が許容されている可能性が報知される。すなわち分かりやすい態様にて所定の入賞の発生が許容されている可能性が報知されることで遊技者の期待感を効果的に高められるため、これら可変表示装置の表示態様により従来よりも興趣の高い演出を行うことができる。
【０００８】
本発明のスロットマシンの前記表示帯を回転駆動するステッピングモータと、該ステッピングモータを制御するモータ制御手段と、
を備え、
前記モータ制御手段は、回転中の前記表示帯を停止させる条件が成立したときに、前記ステッピングモータの複数の励磁相のうち、隣り合う第１励磁相及び第２励磁相を併せて励磁する２相励磁停止制御を実行した後、前記ステッピングモータのロータの目標停止角度位置に対応する停止励磁相及び当該停止励磁相を挟んで相反する位置にある２つのブレーキ励磁相を併せて励磁する３相励磁停止制御を実行して、前記ロータを停止させるとともに、
前記入賞報知手段は、前記ステッピングモータの回転開始時に、前記表示帯を微動させないときの励磁パターンとは異なる励磁パターンにて該ステッピングモータの回転制御を行うことで前記表示帯を微動させることが好ましい。
このようにすれば、２相励磁停止制御によってロータの回転が急速に制動されつつオーバーシュートして目標停止角度位置に誘導されるとともに、その後、３相励磁停止制御によって、ブレーキ励磁相の励磁によるブレーキを得ながら、勢いを弱められたロータが停止励磁相の励磁によりホールディングトルク安定点において停止するようになり、これら２相励磁停止制御及び３相励磁停止制御によって回転中のロータを正確かつ振動を生じさせることなく目標停止角度位置に停止させることができる。これにより、ロータの正確な停止位置が特定できるため、入賞報知手段により表示帯を微動させる制御を確実に行うことができる。
【０００９】
本発明のスロットマシンの前記入賞報知手段は、前記表示帯の回転開始時に回転方向に対して手前側の方向に該表示帯を微動させることで、所定の入賞の発生が許容されている可能性を報知することが好ましい。
このようにすれば、表示帯が回転方向とは逆に微動した後、回転し始めるようになるため、表示帯が微動したことを明確に認識させることができる。
【００１０】
本発明のスロットマシンの前記可変表示装置は、独立して回転する複数の表示帯を備え、
前記入賞報知手段は、前記事前決定手段により所定の入賞の発生が許容されているときの方が、当該所定の入賞の発生が許容されていないときに比較して多くの前記表示帯を微動させる割合が高いことが好ましい。
このようにすれば、回転開始時に微動する表示帯の数が多いほど所定の入賞が発生する期待度を高められるため、微動する表示帯の数によって効果的に興趣を高めることができる。
【００１１】
本発明のスロットマシンの前記入賞報知手段は、前記事前決定手段により所定の入賞の発生が許容されているときの方が、当該所定の入賞の発生が許容されていないときに比較して大きな変動量にて前記表示帯を微動させる割合が高いことが好ましい。
このようにすれば、回転開始時に表示帯が微動する際の変動量が大きいほど所定の入賞が発生する期待度を高められるため、表示帯が微動する際の変動量に応じて効果的に興趣を高めることができる。
【００１２】
【発明の実施の形態】
以下、本発明の実施の形態を図面に基づいて詳細に説明する。
【００１３】
本発明が適用されたスロットマシンの実施例を図面を用いて説明すると、図１に示すように、本実施例のスロットマシン１には、外周に複数種の図柄が配列されたリール２Ｌ、２Ｃ、２Ｒが水平方向に並設されており、これらリール２Ｌ、２Ｃ、２Ｒに配列された図柄のうち連続する３つの図柄がスロットマシン１の前面に設けられた透視窓３から見えるように配置されている。
【００１４】
各リール２Ｌ、２Ｃ、２Ｒは、各々対応して設けられたリールモータ３４Ｌ、３４Ｃ、３４Ｒによって回転されることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００１５】
また、本実施例のスロットマシン１には、メダルが投入可能なメダル投入口４、クレジットを用いて賭数を設定する際に操作される１枚ＢＥＴスイッチ５及びＭＡＸＢＥＴスイッチ６、ゲームを開始する際に操作されるスタートスイッチ７、リール２Ｌ、２Ｃ、２Ｒの回転を各々停止する際に操作されるストップスイッチ８Ｌ、８Ｃ、８Ｒが設けられている。
【００１６】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６、または１枚ＢＥＴスイッチ５を操作すれば良い。賭数が設定されると、設定された賭数に応じて入賞ラインＬ１、Ｌ２、Ｌ２’、Ｌ３、Ｌ３’（図１参照）が有効となり、スタートスイッチ７の操作が有効な状態、すなわち、ゲームが開始可能な状態となる。
【００１７】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、表示結果が導出表示される。
【００１８】
そして全てのリール２Ｌ、２Ｃ、２Ｒが停止されることで１ゲームが終了し、賭数に応じて有効化されたいずれかの入賞ラインＬ１、Ｌ２、Ｌ２’、Ｌ３、Ｌ３’上に予め定められた図柄の組合せが各リール２Ｌ、２Ｃ、２Ｒの表示結果として停止した場合には入賞が発生し、その入賞にして定められた枚数のメダルが遊技者に対してクレジットに加算される。また、クレジットが上限数（本実施例では５０）に達した場合には、メダルが直接メダル払出穴９（図１参照）から払い出されるようになっている。
【００１９】
図２は、スロットマシン１の構成を示すブロック図である。スロットマシン１には、図２に示すように、遊技制御基板４０、演出制御基板９０が設けられており、遊技制御基板４０によって主に遊技状態が制御され、演出制御基板９０によって遊技状態に応じた演出が制御される。
【００２０】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒが接続されているとともに、メダル投入部４から投入されたメダルを検出する投入メダルセンサ３１、メダル払出穴９から払い出されるメダルを検出する払出センサ３３、リール２Ｌ、２Ｃ、２Ｒの基準位置を検出するリールセンサ３５が接続されており、これら接続されたスイッチ、センサの検出信号が入力されるようになっている。
【００２１】
また、遊技制御基板４０には、前述したリールモータ３４Ｌ、３４Ｃ、３４Ｒが接続されているとともに、メダル払出穴９よりメダルを払い出すためのホッパーモータ３２が接続されており、これら電気部品は、遊技制御基板４０に搭載された後述のメイン制御部４１の制御に基づいて駆動されるようになっている。
【００２２】
遊技制御基板４０には、所定の手順で演算を行うＣＰＵ、ＣＰＵの制御プログラムや各種データテーブル等を格納するＲＯＭ、必要なデータの書き込み及び読み出しを行うＲＡＭを備えるメイン制御部４１、遊技制御基板４０に接続されたスイッチ、センサから入力された検出信号が入力されるスイッチ回路４２、ホッパーモータ３２、リールモータ３４Ｌ、３４Ｃ、３４Ｒの駆動制御を行うモータ回路４３等、が搭載されており、メイン制御部４１は、遊技制御基板４０に接続されたスイッチ、センサの検出信号を受けて、ゲームの進行に応じた各種の制御を行う。
【００２３】
演出制御基板９０には、スロットマシン１の前面に配置された液晶表示器５１（図１参照）、遊技効果ＬＥＤ５２、スピーカ５３、５４が接続されており、これら電気部品は、演出制御基板９０に搭載された後述のサブ制御部９１による制御に基づいて駆動されるようになっている。
【００２４】
演出制御基板９０には、メイン制御部４１と同様のＣＰＵ、ＲＯＭ、ＲＡＭを備えるサブ制御部９１、演出制御基板９０に接続された液晶表示器５１の駆動制御を行う液晶駆動回路９２、遊技効果ＬＥＤ５２の駆動制御を行うランプ駆動回路９３、スピーカ５３、５４からの音声出力制御を行う音声出力回路９４等、が搭載されており、サブ制御部９１は、遊技制御基板４０に搭載されたメイン制御部４１から送信されるコマンドや、演出制御基板９０に接続されたスイッチ、センサからの検出信号を受けて、演出を行うための各種の制御を行う。
【００２５】
図３は、各リール２Ｌ、２Ｃ、２Ｒ、の図柄配列を示す図であり、各リール２Ｌ、２Ｃ、２Ｒには「１」〜「２１」の各図柄番号に対応して、「黒７」、「白７」、「ＢＡＲ」、「スイカ」、「ベル」、「チェリー」、「プラム」の図柄が各リールに２１個配列されている。
【００２６】
本実施例では、図４に示すように、通常遊技状態において「チェリー−ａｎｙ−ａｎｙ」の組合せが有効化された１本の入賞ライン上に揃った場合には、２枚のメダルが払い出されるチェリー入賞が発生する。また、「スイカ−スイカ−スイカ」の組合せが有効化された１本の入賞ライン上に揃った場合には、１２枚のメダルが払い出されるスイカ入賞が発生する。また、「ベル−ベル−ベル」の組合せが有効化された１本の入賞ライン上に揃った場合には、８枚のメダルが払い出されるベル入賞が発生する。また、「リプレイ−リプレイ−リプレイ」の組合せが有効化された１本の入賞ライン上に揃った場合には、当該ゲームと同一の賭数にて次回のゲームを実施可能なリプレイゲーム（再ゲーム）が付与されるリプレイ（再遊技）入賞が発生する。これらチェリー入賞、スイカ入賞、ベル入賞、リプレイ入賞は、小役入賞ともいう。
【００２７】
また、通常遊技状態において有効化されたいずれかの入賞ライン上に「ＢＡＲ−ＢＡＲ−ＢＡＲ」の図柄の組合せが揃えば、ＲＢ入賞が発生し、その対価として１５枚のメダルが払い出されるとともに、遊技者にとって有利なレギュラーボーナス（ＲＢ）が発生し、「リプレイ−リプレイ−リプレイ」の組合せが有効化された１本の入賞ライン上に揃って、１５枚のメダルが払い出されるＪａｃ入賞が高確率で発生するレギュラーボーナスゲーム（ＲＢゲーム）が遊技者に対して付与される。
【００２８】
また、通常遊技状態において有効化された入賞ライン上に、「黒７−黒７−黒７」または「白７−白７−白７」の図柄の組合せが揃えば、特別入賞であるＢＢ入賞が発生し、その対価として１５枚のメダルが払い出されるとともに、遊技者にとって有利なビッグボーナス（ＢＢ）が発生し、通常遊技状態よりも小役入賞の発生確率が高いビッグボーナスゲーム（ＢＢゲーム）と前述したＲＢが遊技者に対して付与される。
【００２９】
本実施例では、遊技制御基板４０に搭載されたメイン制御部４１が、乱数抽選により入賞の発生を許容するか否かを決定するための内部抽選処理を毎ゲーム実行するとともに、この内部抽選処理においていずれかの入賞の発生が許容されたときに、その旨を示す内部当選フラグを設定する（以下フラグの当選ともいう）。すなわちメイン制御部４１は、本発明の事前決定手段として機能する。
【００３０】
内部当選フラグは、図４に示すように、各入賞に対応して定められており、内部抽選処理により各々対応する内部当選フラグが設定されたことを条件に対応する入賞の発生が許容されることとなる。
【００３１】
通常遊技状態においてチェリー入賞、スイカ入賞、ベル入賞、リプレイ入賞、ＢＢ入賞、ＲＢ入賞の組合せは、該当する入賞を許容する旨の内部当選フラグ（チェリーフラグ、スイカフラグ、ベルフラグ、リプレイフラグ、ＢＢフラグ、ＲＢフラグ）が設定され、かつ各リール２Ｌ、２Ｃ、２Ｒの停止操作が行われた際に該当する図柄が引込範囲（本実施例では停止された際の図柄を除き最大４図柄）内にあれば有効化された入賞ラインに揃うように制御される。
【００３２】
また、通常遊技状態において対象となる入賞の内部当選フラグのうち、チェリーフラグ、スイカフラグ、ベルフラグ、リプレイフラグは、当該内部当選フラグが当選したゲームにおいてのみ有効とされており、そのゲームの終了後にクリアされる。これに対してＢＢフラグまたはＲＢフラグは、当該ＢＢフラグまたはＲＢフラグにより許容されるＢＢ入賞またはＲＢ入賞が発生するまで次ゲーム以降に持ち越される。
【００３３】
図５は、本実施例のスロットマシン１におけるリールモータ３４Ｌ、３４Ｃ、３４Ｒの構成を示す図である。リールモータ３４Ｌ、３４Ｃ、３４Ｒは、例えば、ハイブリッド型ステッピングモータであり、ステータ３７と、これに対向するロータ３６とで構成されている。尚、ロータ３６は、図示しない多数の歯車状突極を有し、これに回転軸と同方向に磁化された永久磁石が組み込まれている。これらリールモータ３４Ｌ、３４Ｃ、３４Ｒは、メイン制御部４１の制御に基づきモータ回路４３から出力されるパルス信号を受け、ステータ３７の各励磁相φ１〜φ４が所定の手順に従って励磁されることにより、１パルスを受信する度に所定の角度（１ステップ）ずつロータ３６を回転させる。すなわちリールモータ３４Ｌ、３４Ｃ、３４Ｒに対するパルス信号の出力制御を行うメイン制御部４１は、本発明のモータ制御手段として機能する。
【００３４】
図６（ａ）〜（ｃ）は、リールモータ３４Ｌ、３４Ｃ、３４Ｒの始動時の制御方法を示すイミングチャート及びその際のリールの始動態様を示す図である。図において、φ１〜φ４は、各リールモータ３４Ｌ、３４Ｃ、３４Ｒの各励磁相を示し、「ＯＮ」は励磁状態を、「ＯＦＦ」は消磁状態を、各々示す。
【００３５】
本実施例では、リールモータ３４Ｌ、３４Ｃ、３４Ｒの始動時の制御方法として３種類の制御パターン（１）〜（３）が適用されており、このうち制御パターン（１）に基づく制御方法では、図６（ａ）に示すように、停止相のみが励磁された状態から後述する１−２相励磁方式にて回転方向に励磁を開始する。詳しくは、例えば停止相が（φ３）の場合には、（φ３）のみが励磁された状態から、（φ３、φ４）、（φ４）、（φ４、φ１）…の順で、φ１〜φ４を２相、１相、２相と交互に励磁する。このため、制御パターン（１）に基づく制御方法によりリールモータ３４Ｌ、３４Ｃ、３４Ｒを始動した場合には、ロータ３６と一体的に結合されているリールが滑らかに始動するようになる。
【００３６】
また、制御パターン（２）に基づく制御方法では、図６（ｂ）に示すように、停止相のみが励磁された状態において、停止相を消磁し、当該停止相の回転方向に対して反対側に隣り合う励磁相から後述する１−２相励磁方式にて回転方向に励磁を開始する。詳しくは、例えば停止相が（φ３）の場合には、（φ３）のみが励磁された状態から、（φ３）を消磁し、（φ２）、（φ２、φ３）、（φ３）、（φ３、φ４）…の順で、φ１〜φ４を１相、２相、１相…と交互に励磁する。このため、制御パターン（２）に基づく制御方法によりリールモータ３４Ｌ、３４Ｃ、３４Ｒを始動した場合には、停止相に静止しているロータ３６が、当該停止相の手前の励磁相、すなわち１ステップ手前の状態から回転を開始するので、リールが回転方向とは逆方向にわずかに微動してから始動するようになる。
【００３７】
また、制御パターン（３）に基づく制御方法では、図６（ｃ）に示すように、停止相のみが励磁された状態において、停止相を消磁し、当該停止相の回転方向に対して反対側に隣り合う２つの励磁相から後述する１−２相励磁方式にて回転方向に励磁開始する。詳しくは、、例えば停止相が（φ３）の場合には、（φ３）のみが励磁された状態から、（φ３）を消磁し、（φ１、φ２）、（φ２）、（φ２、φ３）、（φ３）、（φ３、φ４）…の順で、φ１〜φ４を２相、１相、２相…と交互に励磁する。このため、制御パターン（３）に基づく制御方法によりリールモータ３４Ｌ、３４Ｃ、３４Ｒを始動した場合には、停止相に静止しているロータ３６が、当該停止相の手前の２つの励磁相、すなわち２ステップ手前の状態から回転を開始するので、リールが回転方向とは逆方向に、制御パターン（２）の場合よりも大きく微動してから始動するようになる。
【００３８】
このように本実施例では、制御パターン（２）、（３）に基づいてリールを始動させる場合に、停止相の、ロータ３６の回転方向に対して手前側の励磁相から励磁を開始することによりリールを微動させるようになっており、回転開始時に励磁を開始する励磁相を変化させるのみの制御、すなわち簡単な制御でリールを微動させることができるうえに、停止相の手前側の励磁相から励磁されることにより、リールが一瞬回転方向とは逆の方向に微動した後、回転し始めるようになるため、リールが微動したことを遊技者に対して明確に認識させることができる。
【００３９】
図７は、リールモータ３４Ｌ、３４Ｃ、３４Ｒの回転中及び停止時の制御方法を示すタイミングチャートである。
【００４０】
まず、回転中、すなわちリール２Ｌ、２Ｃ、２Ｒを停止させる条件が成立するまでの間は、１−２相励磁方式でリールモータ３４Ｌ、３４Ｃ、３４Ｒを駆動して各リール２Ｌ、２Ｃ、２Ｒを回転させる。例えば、φ１〜φ４を励磁する旨を示すパルス信号を図６に示すタイミングでＯＮ／ＯＦＦすることにより、ロータ３６の回転方向に沿って、（φ４、φ１）、（φ１）、（φ１、φ２）、（φ２）、（φ２、φ３）、（φ３）、（φ３、φ４）、（φ４）、（φ４、φ１）…の順で、２相、１相、２相、１相、２相と１ステップごとに交互にφ１〜φ４を励磁して、ロータ３６を回転させることにより、リール２Ｌ、２Ｃ、２Ｒを回転させる。
【００４１】
次に、回転中のリール２Ｌ、２Ｃ、２Ｒを停止させる条件が成立した場合、すなわち、ロータ３６が後述するオーバーシュート量だけ脱調することにより、ストップスイッチ信号により選択された図柄（目標図柄）を導出表示可能な角度位置（目標停止角度位置）に到達する角度位置となった場合には、２相が励磁された状態から各リール２Ｌ、２Ｃ、２Ｒの停止制御に移行する。例えば、リール２Ｌ、２Ｃ、２Ｒを停止させる条件が、停止条件成立ステップとして図７に示す期間に成立した場合には、２相が励磁される状態に移行する時点Ｔａまで待って、停止制御に移行する。
【００４２】
リール２Ｌ、２Ｃ、２Ｒの停止制御は、図６のＴ１、Ｔ２に示されるように、２段階で行われる。Ｔ１で行われる制御を２相励磁停止制御と呼び、Ｔ２で行われる制御を３相励磁停止制御と呼ぶ。
【００４３】
２相励磁停止制御は、１−２相励磁方式でリールモータ３４Ｌ、３４Ｃ、３４Ｒが駆動されている場合において、１相を励磁した状態から２相を励磁する状態に移行する時点Ｔａから開始され、その２相を励磁する状態を所定のホールド時間Ｔ１だけ保持する制御である。例えば、図５に示すように、（φ１）を励磁した状態から（φ１、φ２）を励磁する状態に移行する時点から、（φ１、φ２）を励磁した状態をホールド時間Ｔ１だけ保持する。これにより、高速回転していた各リールモータ３４Ｌ、３４Ｃ、３４Ｒのロータ３６は急制動がかけられる。
【００４４】
尚、ホールド時間Ｔ１は脱調を引起すことになるオーバーシュート量に応じて定められ、リールモータ３４Ｌ、３４Ｃ、３４Ｒのホールディングトルクの大きさやロータ３６のイナーシャ、バネ常数等によって異なる。本実施例では、オーバーシュート量がステッピングモータの４ステップ分であるものとし、ホールド時間Ｔ１は、リールモータ３４Ｌ、３４Ｃ、３４Ｒが３ステップ分駆動するのに必要な時間として設定する。そして、ロータ３６の目標停止角度位置を、ホールド時間Ｔ１に合わせて、２相励磁停止制御が開始された段階から３ステップ先に設定する。
【００４５】
このため、ホールド時間Ｔ１が経過した時点Ｔｂでは、ロータ３６が目標停止角度位置の直前の位置にあり、かつ、その回転速度が制動された状態にある。そこで、Ｔｂの時点で励磁パターンを切替えて３相励磁停止制御を開始する。すなわち、φ１を消磁し、目標停止角度位置に対応する停止相φ３と、当該停止相を挟んで相反する位置にある２つのブレーキ相φ２、φ４とを所定の時間Ｔ２だけ励磁する。これにより、ブレーキ相φ２、φ４によるブレーキを得ながら停止相φ３のホールディングトルク安定点、すなわち目標停止角度位置でロータ３６が停止する。その結果、ロータ３６と一体的に結合されているリール２Ｌ、２Ｃ、２Ｒは、目標図柄を導出表示可能な目標停止位置に、正確かつ振動することなく停止する。
【００４６】
３相励磁停止制御がＴ２の間実行された後、ブレーキ相φ２、φ４を消磁し、停止相φ３の励磁状態を維持したまま、モータ電圧をＨからＬにする。ロータ３６の停止後も、停止相φ３の励磁状態を維持するのは、ホールディングトルクとディテントトルクとの位相差や摩擦の影響によるずれによって、ロータ３６が停止相φ３のホールディングトルク安定点から外れることを防止するためである。これにより、リール２Ｌ、２Ｃ、２Ｒが一旦停止した後に微動すること、及び、次回リールモータ３４Ｌ、３４Ｃ、３４Ｒを始動させる時のロータ３６の角度位置が、停止時の角度位置とずれてしまうことを防止できる。
【００４７】
また、リールモータ３４Ｌ、３４Ｃ、３４Ｒを停止させるための制御方法としては、全相励磁停止制御、すなわち全ての励磁相を同時に励磁することによってロータ３６を停止させる制御や、２相励磁停止制御、すなわち隣り合う２つの励磁相を同時に励磁することによってロータ３６を停止させる制御が従来から公知である（例えば、特開昭６１−２４０８４６号公報、実開昭６２−３６７８７号公報参照）。
【００４８】
本実施例のスロットマシン１では、前述したように回転開始時にリールを微動させるための制御を行うために、リールを滑らかに回転開始させる際のリールモータ３４Ｌ、３４Ｃ、３４Ｒの励磁パターンとは異なる励磁パターンにてリールモータ３４Ｌ、３４Ｃ、３４Ｒの制御を行うことから、これらリールモータ３４Ｌ、３４Ｃ、３４Ｒの回転開始時にはロータ３６の正確な停止位置を特定しておく必要がある。
【００４９】
しかしながら、前述した全相励磁停止制御を用いてリールモータ３４Ｌ、３４Ｃ、３４Ｒの停止制御を行った場合には、急制動に起因するオーバーシュート量だけロータ３６が回転した後に停止する。このオーバーシュート量はメカニカルな要素に基づいて決まることからロータ３６の停止位置を正確に判別することが困難であるため、前述した３つの制御パターンに基づくリールの始動を正確に制御することができないという問題がある。
【００５０】
また、前述した２相励磁停止制御を用いてリールモータ３４Ｌ、３４Ｃ、３４Ｒの停止制御を行った場合には、最終的に励磁された２つの励磁相の均衡点にロータ３６の停止位置が収束することとなり、停止位置を正確に特定することが可能となるが、ロータ３６が励磁に対して過度に応答することに伴う振動を抑えることができないため、リールの停止態様が見苦しくなってしまうという問題がある。
【００５１】
これに対して、本実施例のように２相励磁停止制御と３相励磁停止制御とを併用してリールモータ３４Ｌ、３４Ｃ、３４Ｒの停止制御を行うことで、２相励磁停止制御によってロータ３６の回転が急速に制動されつつ目標停止角度位置に誘導され、その後、３相励磁停止制御によって、目標停止角度位置の停止相を挟んで相反する位置にある２つのブレーキ相の励磁によりブレーキを得ながら、停止相の励磁により目標停止角度位置にロータ３６が停止することとなるため、回転中のロータ３６を振動させることなく目標停止角度位置に停止させることができる。更に、ロータ３６は目標停止角度位置に停止することから、ロータ３６の正確な停止位置が特定されるため、回転開始時にリールを微動させるためのリールモータ３４Ｌ、３４Ｃ、３４Ｒの制御を正確に、かつ確実に行うことができる。
【００５２】
本実施例のスロットマシン１では、前述したようにリールモータ３４Ｌ、３４Ｃ、３４Ｒの始動時に３種類の制御パターン（１）〜（３）に基づく制御を行うことにより３種類の態様で各リール２Ｌ、２Ｃ、２Ｒの回転を開始することが可能とされており、各リールモータ３４Ｌ、３４Ｃ、３４Ｒ毎に始動時の制御パターンを変化させることにより、図８（ａ）に示すように、始動パターン（１）〜（７）の７種類の始動パターンにて各リール２Ｌ、２Ｃ、２Ｒの回転を開始させることが可能とされている。
【００５３】
このうち始動パターン（１）は、全てのリール２Ｌ、２Ｃ、２Ｒを微動させることなく滑らかに回転させるパターン、すなわち全てのリールモータ３４Ｌ、３４Ｃ、３４Ｒを制御パターン（１）に基づいて始動させるパターンである。また、始動パターン（２）は、左リール２Ｌのみ小さく微動させてから回転させるパターン、すなわちリールモータ３４Ｌのみ制御パターン（２）に基づいて始動させ、リールモータ３４Ｃ、３４Ｒを制御パターン（１）に基づいて始動させるパターンである。また、始動パターン（３）は、左・中リール２Ｌ、２Ｃを小さく微動させてから回転させるパターン、すなわちリールモータ３４Ｌ、３４Ｃを制御パターン（２）に基づいて始動させ、リールモータ３４Ｒを制御パターン（１）に基づいて始動させるパターンである。また、始動パターン（４）は、全てのリール２Ｌ、２Ｃ、２Ｒを小さく微動させてから回転させるパターン、すなわちリールモータ３４Ｌ、３４Ｃ、３４Ｒの全てを制御パターン（２）に基づいて始動させるパターンである。また、始動パターン（５）は、左リール２Ｌのみ大きく微動させてから回転させるパターン、すなわちリールモータ３４Ｌのみ制御パターン（３）に基づいて始動させ、リールモータ３４Ｃ、３４Ｒを制御パターン（１）に基づいて始動させるパターンである。また、始動パターン（６）は、左・中リール２Ｌ、２Ｃを大きく微動させてから回転させるパターン、すなわちリールモータ３４Ｌ、３４Ｃを制御パターン（３）に基づいて始動させ、リールモータ３４Ｒを制御パターン（１）に基づいて始動させるパターンである。また、始動パターン（７）は、全てのリール２Ｌ、２Ｃ、２Ｒを大きく微動させてから回転させるパターン、すなわちリールモータ３４Ｌ、３４Ｃ、３４Ｒの全てを制御パターン（３）に基づいて始動させるパターンである。
【００５４】
本実施例では、各リール２Ｌ、２Ｃ、２Ｒの回転を開始する際に適用される始動パターンが内部抽選処理の結果に応じて異なる割合で振り分けられるとともに、図８（ｂ）に示すように、始動パターン（２）〜（７）、すなわち回転開始時にいずれか１つのリールを微動させる始動パターンは、小役入賞を許容する旨の内部当選フラグまたはＢＢフラグ、ＲＢフラグの当選時のみ振り分けられるため、回転開始時にリールが微動することで、小役入賞またはＢＢ入賞、ＲＢ入賞のいずれかの入賞の発生が許容された旨が報知される。
【００５５】
また、ベルフラグまたはリプレイフラグの当選時には、始動パターン（２）〜（７）のうち、始動パターン（２）（５）のいずれかの始動パターン、すなわち１つのリールのみ微動する始動パターンに振り分けられるとともに、チェリーフラグまたはスイカフラグの当選時には、始動パターン（２）〜（７）のうち、始動パターン（３）（４）（６）（７）のいずれかの始動パターン、すなわち２つ以上のリールが微動する始動パターンに振り分けられるようになっている。このため、回転開始時に１つのリールのみが微動することでベル入賞またはリプレイ入賞の発生が許容されている可能性が高い旨が報知され、回転開始時に２つ以上のリールが微動することでチェリー入賞またはスイカ入賞の発生が許容されている可能性が高い旨が報知される。
【００５６】
このように本実施例では、回転開始時に微動するリールの数に応じて発生が許容されている可能性の高い小役入賞の種類が報知されるので、遊技者が許容された小役入賞の種類をある程度予想することができるため、興趣を高めることができる。
【００５７】
また、回転開始時にリールが微動した際に、小役入賞が発生しないとき（取りこぼしは除く）には、ＢＢフラグまたはＲＢフラグの当選が確定するため、回転開始時にリールが微動することでＢＢ入賞、ＲＢ入賞のいずれかの入賞の発生が許容されている可能性が報知されることとなる。
【００５８】
このように本実施例では、回転開始時にリールが微動することでＢＢ入賞またはＲＢ入賞の発生が許容されている可能性も報知されるので、回転開始時にリールが微動することでＢＢ入賞またはＲＢ入賞の発生に対する遊技者の期待感を高めることができる。
【００５９】
また、ＢＢフラグまたはＲＢフラグの当選時に振り分けられる始動パターンは、始動パターン（２）〜（４）のうち、始動パターン（４）、（３）、（２）の順に高い割合で振り分けられるとともに、始動パターン（５）〜（７）のうち、始動パターン（７）、（６）、（５）の順に高い割合で振り分けられるようになっている。すなわち、ＢＢフラグまたはＲＢフラグの当選時の始動パターンとしては、微動する大きさが同一の場合に微動するリールの数が多い始動パターンほど高い割合で振り分けられるようになっている。このため、微動する大きさが同一の場合には微動するリールの数が多いほどＢＢフラグまたはＲＢフラグの当選に対する期待度が高くなる。
【００６０】
このように本実施例では、回転開始時に微動するリールの数が多いほどＢＢフラグまたはＲＢフラグの当選、すなわちＢＢ入賞またはＲＢ入賞の発生に対する期待感を高められるため、微動するリールの数によって効果的に興趣を高めることができる。
【００６１】
また、ＢＢフラグまたはＲＢフラグの当選時に振り分けられる始動パターンは、始動パターン（２）よりも（５）、始動パターン（３）よりも（６）、始動パターン（４）よりも始動パターン（７）の方が高い割合で振り分けられるようになっている。すなわち、ＢＢフラグまたはＲＢフラグの当選時の始動パターンとしては、微動する数が同一の場合に、微動する大きさが大きい始動パターンほど高い割合で振り分けられるようになっている。このため、微動する数が同一の場合には微動する大きさが大きいほどＢＢフラグまたはＲＢフラグの当選に対する期待度が高くなる。
【００６２】
このように本実施例では、回転開始時にリールが微動する大きさが大きいほどＢＢフラグまたはＲＢフラグの当選、すなわちＢＢ入賞またはＲＢ入賞の発生に対する期待感を高められるため、リールが微動する大きさによって効果的に興趣を高めることができる。
【００６３】
以上説明したように、本実施例のスロットマシン１においては、各リール２Ｌ、２Ｃ、２Ｒを始動時に微動させることで、小役入賞やＢＢ入賞、ＲＢ入賞の発生が許容されている可能性が報知される。すなわち分かりやすい態様にて小役入賞、ＢＢ入賞、ＲＢ入賞のいずれかの入賞の発生が許容されている旨が報知されることで遊技者の期待感を効果的に高められるため、これら各リール２Ｌ、２Ｃ、２Ｒの表示態様により従来よりも興趣の高い演出を行うことができる。
【００６４】
尚、本実施例では、内部抽選処理の結果としていずれかの入賞の発生が許容されていることを条件にリール２Ｌ、２Ｃ、２Ｒが微動することで、小役入賞、ＢＢ入賞、ＲＢ入賞のいずれかの入賞の発生が許容されている旨が報知されるようになっているが、例えば、内部抽選処理の結果としていずれの入賞の発生も許容されていないとき、すなわちハズレのとき、または所定の入賞の発生が許容されているとき、に所定の割合でリール２Ｌ、２Ｃ、２Ｒを微動させることで、所定の入賞の発生が許容されている可能性を報知するようにしても良い。
【００６５】
以上、本発明の実施例を図面により説明してきたが、本発明はこの実施例に限定されるものではなく、本発明の主旨を逸脱しない範囲における変更や追加があっても本発明に含まれることは言うまでもない。
【００６６】
例えば、前記実施例では、外周に図柄が配列されたリール２Ｌ、２Ｃ、２Ｒを回転させることで表示状態を変動させる可変表示装置を適用しているが、外周に図柄が配列されたベルトを回転させることで表示状態を変動させるベルト式の可変表示装置を適用しても良い。
【００６７】
また、前記実施例では、遊技用価値としてメダル並びにクレジットを使用してゲームを実施可能な通常のスロットマシンを用いているが、本発明はこれに限定されるものではなく、遊技用価値としてパチンコ球を用いてゲームを行うスロットマシンや、メダルが外部に排出されることなくクレジットを使用して遊技可能な完全クレジット式のスロットマシンにも適用可能であることはいうまでもなく、これら遊技機の種別が限定されるものではない。
【００６８】
前記実施例における各要素は、本発明に対して以下のように対応している。
【００６９】
本発明の請求項１は、複数種類の図柄が配列された表示帯（リール２Ｌ、２Ｃ、２Ｒ）を回転させることにより表示状態を変化させるとともに、該表示帯の回転を停止させることにより表示結果を導出表示させる可変表示装置を備え、１ゲームに対して賭数を設定することによりゲームが開始可能となるとともに、前記可変表示装置の表示結果が導出表示されることにより１ゲームが終了し、該可変表示装置の表示結果に応じて入賞が発生可能とされたスロットマシン１であって、前記可変表示装置の表示結果が導出表示される以前に前記入賞の発生を許容するか否かを決定する事前決定手段（メイン制御部４１（内部抽選処理））と、前記事前決定手段の決定結果（内部当選フラグの当選状況）に基づいて前記表示帯の回転開始時に該表示帯を微動させることで、所定の入賞（小役入賞、ＢＢ入賞、ＲＢ入賞）の発生が許容されている可能性を報知する入賞報知手段（メイン制御部４１）と、を備える。
【００７０】
本発明の請求項２は、前記表示帯（リール２Ｌ、２Ｃ、２Ｒ）を回転駆動するステッピングモータ（リールモータ３４Ｌ、３４Ｃ、３４Ｒ）と、該ステッピングモータを制御するモータ制御手段（メイン制御部４１）と、を備え、前記モータ制御手段は、回転中の前記表示帯を停止させる条件が成立したときに、前記ステッピングモータの複数の励磁相（φ１、φ２、φ３、φ４）のうち、隣り合う第１励磁相（例えばφ１）及び第２励磁相（例えばφ２）を併せて励磁する２相励磁停止制御を実行した後、前記ステッピングモータのロータ３６の目標停止角度位置に対応する停止励磁相（例えばφ３）及び当該停止励磁相を挟んで相反する位置にある２つのブレーキ励磁相（例えばφ２、φ４）を併せて励磁する３相励磁停止制御を実行して、前記ロータを停止させるとともに、前記入賞報知手段（メイン制御部４１）は、前記ステッピングモータの回転開始時に、前記表示帯を微動させないときの励磁パターン（制御パターン（１））とは異なる励磁パターン（制御パターン（２）、制御パターン（３））にて該ステッピングモータの回転制御を行うことで前記表示帯を微動させる。
【００７１】
本発明の請求項３は、前記入賞報知手段（メイン制御部４１）は、前記表示帯（リール２Ｌ、２Ｃ、２Ｒ）の回転開始時に回転方向に対して手前側の方向に該表示帯を微動させることで、所定の入賞（小役入賞、ＢＢ入賞、ＲＢ入賞）の発生が許容されている可能性を報知する。
【００７２】
本発明の請求項４は、前記可変表示装置は、独立して回転する複数の表示帯（リール２Ｌ、２Ｃ、２Ｒ）を備え、前記入賞報知手段（メイン制御部４１）は、前記事前決定手段（メイン制御部４１（内部抽選処理））により所定の入賞（ＢＢ入賞、ＲＢ入賞）の発生が許容されているときの方が、当該所定の入賞の発生が許容されていないときに比較して多くの前記表示帯を微動させる割合が高い。
【００７３】
本発明の請求項５は、前記入賞報知手段（メイン制御部４１）は、前記事前決定手段（メイン制御部４１（内部抽選処理））により所定の入賞（ＢＢ入賞、ＲＢ入賞）の発生が許容されているときの方が、当該所定の入賞の発生が許容されていないときに比較して大きな変動量にて前記表示帯（リール２Ｌ、２Ｃ、２Ｒ）を微動させる割合が高い。
【００７４】
【発明の効果】
本発明は以下の効果を奏する。
【００７５】
（ａ）請求項１項の発明によれば、表示帯の回転開始時にその表示帯を微動させることで、所定の入賞の発生が許容されている可能性が報知される。すなわち分かりやすい態様にて所定の入賞の発生が許容されている可能性が報知されることで遊技者の期待感を効果的に高められるため、これら可変表示装置の表示態様により従来よりも興趣の高い演出を行うことができる。
【００７６】
（ｂ）請求項２項の発明によれば、２相励磁停止制御によってロータの回転が急速に制動されつつオーバーシュートして目標停止角度位置に誘導されるとともに、その後、３相励磁停止制御によって、ブレーキ励磁相の励磁によるブレーキを得ながら、勢いを弱められたロータが停止励磁相の励磁によりホールディングトルク安定点において停止するようになり、これら２相励磁停止制御及び３相励磁停止制御によって回転中のロータを正確かつ振動を生じさせることなく目標停止角度位置に停止させることができる。これにより、ロータの正確な停止位置が特定できるため、入賞報知手段により表示帯を微動させる制御を確実に行うことができる。
【００７７】
（ｃ）請求項３項の発明によれば、表示帯が回転方向とは逆に微動した後、回転し始めるようになるため、表示帯が微動したことを明確に認識させることができる。
【００７８】
（ｄ）請求項４項の発明によれば、回転開始時に微動する表示帯の数が多いほど所定の入賞が発生する期待度を高められるため、微動する表示帯の数によって効果的に興趣を高めることができる。
【００７９】
（ｅ）請求項５項の発明によれば、回転開始時に表示帯が微動する際の変動量が大きいほど所定の入賞が発生する期待度を高められるため、表示帯が微動する際の変動量に応じて効果的に興趣を高めることができる。
【図面の簡単な説明】
【図１】本発明が適用された実施例のスロットマシンの正面図である。
【図２】スロットマシンの構成を示すブロック図である。
【図３】メインリールの図柄配列を示す図である。
【図４】通常遊技状態において入賞の対象となる図柄の組合せ等を示す図である。
【図５】リールモータを構成するステッピングモータのブロック図である。
【図６】（ａ）〜（ｃ）はリール始動時のリールモータの制御方法を説明するためのタイミングチャート及びリールの表示態様を示す図である。
【図７】リールモータの制御方法を説明するためのタイミングチャートを示す図である。
【図８】（ａ）は各リールの始動パターンの特徴を示す図、（ｂ）は、内部抽選処理の結果に応じた各始動パターンの振分率を示す図である。
【符号の説明】
１  スロットマシン、２Ｌ、２Ｃ、２Ｒ  リール、３                        透視窓、３４Ｌ、３４Ｃ、３４Ｒ  リールモータ、３６  ロータ、４１メイン制御部
【図１】
2004321433.tif 000003
【図２】
2004321433.tif 000004
【図３】
2004321433.tif 000005
【図４】
2004321433.tif 000006
【図５】
2004321433.tif 000007
【図６】
2004321433.tif 000008
【図７】
2004321433.tif 000009
【図８】
2004321433.tif 000010